(57)【要約】【課題】撮影光学系の特性が異なる場合も適切にフォーカス調節する電子カメラを提供する。【解決手段】電子カメラは、撮像素子３と、撮影光学系１を通過した被写体光束を２系統に分割し、２系統の光束がそれぞれ形成する２つの像の位相差に基づいてデフォーカス情報を算出する第１演算手段３と、撮像素子３で取得された画像信号を用いてコントラスト評価値を演算する第２演算手段４と、撮影光学系１のフォーカス調節光学系２を進退移動させる移動手段５と、撮影光学系１の特性を変化させる部材の有無を検出する検出手段１０、１１、１２と、検出手段１０、１１、１２が部材有りを検出した場合、第２演算手段４による演算結果に基づいてフォーカス調節光学系２の移動先を決定する制御手段４とを備える。【選択図】図１
2009042555.tif 000002
【特許請求の範囲】
【請求項１】
撮像素子と、
撮影光学系を通過した被写体光束を２系統に分割し、前記２系統の光束がそれぞれ形成する２つの像の位相差に基づいてデフォーカス情報を算出する第１演算手段と、
前記撮像素子で取得された画像信号を用いてコントラスト評価値を演算する第２演算手段と、
前記撮影光学系のフォーカス調節光学系を進退移動させる移動手段と、
前記撮影光学系の特性を変化させる部材の有無を検出する検出手段と、
前記検出手段が前記部材有りを検出した場合、前記第２演算手段による演算結果に基づいて前記フォーカス調節光学系の移動先を決定する制御手段とを備えることを特徴とする電子カメラ。
【請求項２】
請求項１に記載の電子カメラにおいて、
前記制御手段は、前記検出手段が前記部材有りを検出した場合、前記第１演算手段が算出したデフォーカス情報に応じた方向へ前記フォーカス調節光学系をスキャン移動させるように前記移動手段を制御することを特徴とする電子カメラ。
【請求項３】
請求項２に記載の電子カメラにおいて、
前記制御手段は、前記第１演算手段でデフォーカス情報が算出されなかった場合、前記フォーカス調節光学系を初期位置へ移動してから所定方向へスキャン移動させるように前記移動手段を制御することを特徴とする電子カメラ。
【請求項４】
請求項２または３に記載の電子カメラにおいて、
前記撮像素子は、前記フォーカス調節光学系がスキャン移動中に所定間隔で画像を取得し、
前記第２演算手段は、前記所定間隔で取得された画像信号を用いてコントラスト評価値を逐次演算し、
前記制御手段は、前記コントラスト評価値を最大にする位置を前記フォーカス調節光学系の移動先とすることを特徴とする電子カメラ。
【請求項５】
請求項１〜４のいずれか一項に記載の電子カメラにおいて、
前記制御手段は、前記検出手段が前記部材無しを検出した場合、前記第１演算手段で算出されたデフォーカス情報に応じた位置を前記フォーカス調節光学系の移動先とすることを特徴とする電子カメラ。
【請求項６】
請求項１〜５のいずれか一項に記載の電子カメラにおいて、
前記被写体光束を２系統に分割する光学系は前記撮像素子に形成されていることを特徴とする電子カメラ。
【発明の詳細な説明】
【技術分野】
【０００１】
本発明は、電子カメラに関する。
【背景技術】
【０００２】
撮影光学系のフォーカス調節方式として、位相差検出方式によるフォーカス調節と、コントラスト検出方式によるフォーカス調節とを行う撮像装置が知られている（特許文献１）。
【０００３】
【特許文献１】特開２００３−１５６６７７号公報
【発明の開示】
【発明が解決しようとする課題】
【０００４】
従来技術では、たとえばコンバージョンレンズなど、設計時に想定されていない光学系が装着された場合などに位相差検出方式によるフォーカス調節が困難になるという問題がある。
【課題を解決するための手段】
【０００５】
（１）本発明による電子カメラは、撮像素子と、撮影光学系を通過した被写体光束を２系統に分割し、２系統の光束がそれぞれ形成する２つの像の位相差に基づいてデフォーカス情報を算出する第１演算手段と、撮像素子で取得された画像信号を用いてコントラスト評価値を演算する第２演算手段と、撮影光学系のフォーカス調節光学系を進退移動させる移動手段と、撮影光学系の特性を変化させる部材の有無を検出する検出手段と、検出手段が部材有りを検出した場合、第２演算手段による演算結果に基づいてフォーカス調節光学系の移動先を決定する制御手段とを備えることを特徴とする。
（２）請求項１に記載の電子カメラにおいて、制御手段は、検出手段が部材有りを検出した場合、第１演算手段が算出したデフォーカス情報に応じた方向へフォーカス調節光学系をスキャン移動させるように移動手段を制御することもできる。
（３）請求項２に記載の電子カメラにおいて、制御手段は、第１演算手段でデフォーカス情報が算出されなかった場合、フォーカス調節光学系を初期位置へ移動してから所定方向へスキャン移動させるように移動手段を制御することもできる。
（４）請求項２または３に記載の電子カメラにおいて、撮像素子は、フォーカス調節光学系がスキャン移動中に所定間隔で画像を取得し、第２演算手段は、所定間隔で取得された画像信号を用いてコントラスト評価値を逐次演算し、制御手段は、コントラスト評価値を最大にする位置をフォーカス調節光学系の移動先とすることもできる。
（５）請求項１〜４のいずれか一項に記載の電子カメラにおいて、制御手段は、検出手段が部材無しを検出した場合、第１演算手段で算出されたデフォーカス情報に応じた位置をフォーカス調節光学系の移動先とすることもできる。
（６）請求項１〜５のいずれか一項に記載の電子カメラにおいて、被写体光束を２系統に分割する光学系は撮像素子に形成されていることが好ましい。
【発明の効果】
【０００６】
本発明による電子カメラでは、撮影光学系の特性が異なる場合でも適切にフォーカス調節できる。
【発明を実施するための最良の形態】
【０００７】
以下、図面を参照して本発明を実施するための最良の形態について説明する。図１は、本発明の一実施の形態による電子カメラの要部構成を説明するブロック図である。電子カメラは、制御装置４によって制御される。
【０００８】
撮影レンズ１は、後述する撮像素子の撮像面上に被写体像を結像させる。測距装置兼撮像装置３は、撮像素子と、ＡＦＥ(Analog Front End)回路と、Ａ／Ｄ変換回路と、デフォーカス量演算回路とを含む。
【０００９】
撮像素子は、たとえば、ＣＭＯＳイメージセンサ３１（図２）によって構成される。イメージセンサ３１は被写体像を撮像し、アナログ画像信号をＡＦＥ回路へ出力する。ＡＦＥ回路は、アナログ画像信号に対するアナログ処理（指示されたＩＳＯ感度に応じた信号増幅など）を行う。ＩＳＯ感度は、制御装置４からの感度設定指示に応じて撮像感度（露光感度）を所定範囲（たとえばＩＳＯ５０相当〜ＩＳＯ１０００相当）内で変更するものである。撮像感度は、ＡＦＥ回路で行う信号増幅の増幅率を変化させる被制御量のことをいう。撮像感度値は、相当するＩＳＯ感度値で表される。Ａ／Ｄ変換回路は、アナログ処理後の画像信号をディジタル信号に変換する。ディジタル画像信号は、制御装置４内の画像処理部４ａへ出力される。
【００１０】
画像処理部４ａは、入力されたディジタル画像信号に対して画像処理を施す。画像処理には、たとえば、γ変換処理、輪郭強調処理、フィルタ処理や色温度調整（ホワイトバランス調整）処理、画像信号に対するフォーマット変換処理、画像圧縮・伸張処理などが含まれる。バッファメモリ４ｂは、画像処理前後および画像処理途中のデータを一時的に格納する他、記録媒体９へ記録する前の画像ファイルを格納したり、記録媒体９から読み出した画像ファイルを格納したりするために使用される。
【００１１】
表示回路６は、撮像画像を液晶モニタ７に表示させたり、操作メニューを液晶モニタ７に表示させるための表示データを作成する。液晶モニタ７は、上記作成された表示データによる再生画像またはメニュー画面を表示する。
【００１２】
制御装置４は、各ブロックから出力される信号を入力して所定の演算を行い、演算結果に基づく制御信号を各ブロックへ出力する。操作部材８は電子カメラの操作スイッチ類を含む。操作部材８は、レリーズボタン（不図示）の押下操作に連動してオン／オフする半押しスイッチや全押しスイッチ、メニュー操作キーなど、各操作スイッチなどからの操作信号を制御装置４へ出力する。
【００１３】
記録媒体９は、電子カメラに対して着脱可能なメモリカードなどで構成される。記録媒体９には、制御装置４からの指示によって画像のデータおよびその情報を含む画像ファイルが記録される。記録媒体９に記録された画像ファイルは、制御装置４からの指示によって読み出しが可能である。
【００１４】
コンバージョンレンズ検出装置１０は、たとえば不図示のマイクロスイッチによって構成され、撮影レンズ１のレンズ鏡筒の先端にオプションのコンバージョンレンズが装着されたか否かを検出し、検出信号を制御装置４へ送出する。コンバージョンレンズは、撮影レンズ１を望遠レンズとして使用できるように、撮影レンズ１の光学特性を変換するレンズや、撮影レンズ１を広角レンズとして使用できるように、撮影レンズ１の光学特性を変換するレンズのことをいう。
【００１５】
光学フィルタ検出装置１１は、たとえば不図示のマイクロスイッチによって構成され、撮影レンズ１のレンズ鏡筒の先端にオプションの光学フィルタが装着されたか否かを検出し、検出信号を制御装置４へ送出する。光学フィルタが装着された撮影レンズ１は、所定の波長域の光を減衰したり、偏光方向を制限したりしてその特性が変化する。
【００１６】
水中ケース検出装置１２は、たとえば不図示のマイクロスイッチによって構成され、電子カメラがオプションである水中撮影用の水中ケース（不図示）に装着されたか否かを検出し、検出信号を制御装置４へ送出する。水中ケースを用いた水中撮影の場合、所定の波長域の光が減衰したり、屈折率の違い等によって陸上（空気中）における光学特性と異なる。
【００１７】
＜位相差検出による焦点検出処理＞
本実施形態の電子カメラは通常、イメージセンサ３１上の焦点検出領域に入射される光束を用いて、いわゆる位相差検出方式によって撮影レンズ１による焦点調節状態の検出を行う。図２は、イメージセンサ３１に形成されるフォーカス検出用の画素位置を説明する図である。イメージセンサ３１が有する画素のうち、横センサ１〜横センサ３として例示する３本の水平方向に並ぶ所定数の画素列、および縦センサ１〜縦センサ３として例示する３本の垂直方向に並ぶ所定数の画素列が、それぞれ焦点検出領域に対応する。これら６本のセンサ列を構成する画素には、それぞれ瞳分割用のマスキングが施されている。
【００１８】
具体的には、画素に対応して形成されるオンチップマイクロレンズの略半面が遮光されている。図３は、横センサを構成する画素列の拡大図である。各画素において、左半面または右半面が交互にマスキングされる。これにより、横方向に隣接する画素間ではマスキングされた半面同士、またはマスキングされていない半面同士が隣り合う。
【００１９】
図４は、縦センサを構成する画素列の拡大図である。各画素において、上半面または下半面が交互にマスキングされる。これにより、縦方向に隣接する画素間ではマスキングされた半面同士、またはマスキングされていない半面同士が隣り合う。
【００２０】
図５は、横センサを構成する画素列、および画素列に入射される光束を説明する図である。図５において、右半面がマスキングされている画素のフォトダイオードには左方向からの光束（Ａ成分と呼ぶ）が入射される。また、左半面がマスキングされている画素のフォトダイオードには右方向からの光束（Ｂ成分と呼ぶ）が入射される。
【００２１】
この結果、Ａ成分の光束が入射される画素群から得られる画素出力（光電変換信号値）は、撮影レンズ１の射出瞳の片半分から入射された光束による像を表し、Ｂ成分の光束が入射される画素群から得られる画素出力（光電変換信号値）は、上記射出瞳の他半分から入射された光束による像を表す。
【００２２】
図６は、主要被写体に対して合焦時に得られる画素出力波形を例示する図である。図６において横軸は画素位置を表し、縦軸は画素出力を表す。合焦時はイメージセンサ３１上に鮮鋭像が結ばれる状態であるため、瞳分割された光束による一対の像はイメージセンサ３１上で一致する。つまり、横センサ（縦センサ）を構成する画素群から得られるＡ成分波形およびＢ成分波形は、その形状が重なる。
【００２３】
図７は、主要被写体に対して非合焦時に得られる画素出力波形を例示する図である。図７において横軸は画素位置を表し、縦軸は画素出力を表す。非合焦時はイメージセンサ３１の手前で鮮鋭像を結ぶ状態、あるいはイメージセンサ３１の後ろ側に鮮鋭像を結ぶ状態であるため、瞳分割された光束による一対の像はイメージセンサ３１上では一致しない。この場合のＡ成分波形およびＢ成分波形は、合焦状態からのずれ（デフォーカス量）に応じて、Ａ成分波形とＢ成分波形の位置関係（ずれ方向およびずれ量Δｄ）が異なる。
【００２４】
測距装置兼撮像装置３内のデフォーカス量演算回路は、Ａ成分波形およびＢ成分波形の位置関係に基づいて撮影レンズ１による焦点位置の調節状態（デフォーカス量）を算出し、算出結果を制御装置４へ送出する。制御装置４がデフォーカス量に応じたレンズ駆動信号（レンズ駆動方向およびレンズ駆動量を指示する信号）をレンズ駆動機構５へ出力すると、レンズ駆動機構５がフォーカスレンズ２を光軸方向へ進退移動させる。これにより、ピント調節が行われる。
【００２５】
なお、図６および図７において例示する比較領域は、Ａ成分波形およびＢ成分波形から抽出した特徴点（たとえば極大値）を共通に含む領域である。デフォーカス量演算回路は、横センサ（縦センサ）を構成する画素群から得られるＡ成分波形およびＢ成分波形のうち、比較領域内の波形データを用いてデフォーカス量を求める。
【００２６】
＜コントラスト検出による焦点検出処理＞
電子カメラは、コンバージョンレンズの装着が検出されている場合、光学フィルタの装着が検出されている場合、および水中ケースへの装着が検出されている場合には、それぞれ上記位相差検出による焦点検出でなく、いわゆるコントラスト検出方式で撮影レンズ１による焦点調節状態の検出を行う。
【００２７】
具体的には、フォーカスレンズ２を光軸方向に進退駆動させながら、イメージセンサ３１で取得された画像の高周波数成分のデータ、すなわち、焦点評価値が極大値をとるように合焦位置を検出する。
【００２８】
制御装置４は、バッファメモリ４ｂに格納した画像処理前の画像データのうち、イメージセンサ３１上の焦点検出領域に対応する画像データから高周波数成分を抽出するフィルタリング処理を行う。フィルタリング処理後の画像データは、フィルタリング処理前の画像データに比べて、低周波数成分、とくに直流成分が除去されている。制御装置４はさらに、画像データの高周波数成分による差分を積算するべく、上記フィルタリング後の画像データの絶対値を積算する。この積算値は焦点評価値と呼ばれる。
【００２９】
焦点評価値の演算は、フォーカスレンズ２を所定方向、たとえば∞（無限遠）側から至近側へ向けて移動させながら行う。制御装置４が繰り返し焦点評価値を算出すると、フォーカスレンズ２の位置と焦点評価値との関係が焦点評価値カーブ（いわゆる山登り曲線）として得られる（後述する図８(c)および図９(c)）。焦点評価値カーブの極大点に対応するレンズ位置は、イメージセンサ３１によって撮像される被写体像のエッジのボケをなくし、画像のコントラストを最大にする位置（すなわち合焦位置）である。
【００３０】
本実施形態の電子カメラは、コンバージョンレンズ検出装置１０、光学フィルタ検出装置１１、および水中ケース検出装置１２のいずれかによってオプションの装着を検出した場合のＡＦ(オートフォーカス)処理に特徴を有するので、図１０〜図１２のフローチャートを参照してＡＦ処理を中心に説明する。
【００３１】
＜ＡＦ処理＞
図１０は、制御装置４が実行するＡＦ処理の流れを説明するフローチャートである。制御装置４は、たとえば操作部材８からレリーズボタンが半押し操作されたことを示す操作信号が入力されると、図１０に例示するＡＦ処理を開始させる。図１０のステップＳ１０において、制御装置４は所定のオプション装着の有無を判定する。制御装置４は、コンバージョンレンズ検出装置１０、光学フィルタ検出装置１１、および水中ケース検出装置１２の少なくとも１つから検出信号が入力された場合にステップＳ１０を肯定判定し、ステップＳ３０へ進む。制御装置４は、コンバージョンレンズ検出装置１０、光学フィルタ検出装置１１、および水中ケース検出装置１２のいずれからも検出信号が入力されない場合にはステップＳ１０を否定判定し、ステップＳ２０へ進む。
【００３２】
ステップＳ２０において、制御装置４は、位相差検出ＡＦ処理を行って図１０によるＡＦ処理を終了する。位相差検出ＡＦ処理の詳細については後述する。ステップＳ３０において、制御装置４は、コントラスト検出ＡＦ処理を行って図１０によるＡＦ処理を終了する。コントラスト検出ＡＦ処理の詳細については後述する。
【００３３】
＜位相差検出ＡＦ処理＞
図１１のステップＳ２１において、制御装置４は測距装置兼撮像装置３へ指示を送り、ＡＦセンサ出力を取得させてステップＳ２２に進む。これにより、測距装置兼撮像装置３は被写体像を撮像する。取得された画像データのうち、上記横センサ（縦センサ）に対応する画素群のデータは、ＡＦセンサ出力に対応する。
【００３４】
ステップＳ２２において、制御装置４は測距装置兼撮像装置３へ指示を送り、位相差検出（デフォーカス量の算出）させてステップＳ２３へ進む。ステップＳ２３において、制御装置４は位相差検出できたか否かを判定する。制御装置４は、測距装置兼撮像装置３からデフォーカス情報を受けた場合にステップＳ２３を肯定判定してステップＳ２４へ進む。制御装置４は、測距装置兼撮像装置３からデフォーカス情報を受けない場合にはステップＳ２３を否定判定し、ステップＳ２８へ進む。
【００３５】
ステップＳ２４において、制御装置４は、位相差検出ＡＦが可能と判定してステップＳ２５へ進む。ステップＳ２５において、制御装置４は、位相差（デフォーカス量）に応じて合焦レンズ位置を算出してステップＳ２６へ進む。ステップＳ２６において、制御装置４はレンズ駆動機構５へ指示を送り、フォーカスレンズ２を移動させてステップＳ２７へ進む。
【００３６】
ステップＳ２７において、制御装置４はレンズ駆動が完了したか否かを判定する。制御装置４は、レンズ駆動機構５からレンズ駆動が完了したことを示す信号を受けた場合にステップＳ２７を肯定判定し、図１１による処理を終了してＡＦ処理を終了する。制御装置４は、レンズ駆動機構５からレンズ駆動が完了したことを示す信号を受けない場合にはステップＳ２７を否定判定し、当該判定処理を繰り返しながらレンズ駆動の完了を待つ。
【００３７】
ステップＳ２３を否定判定して進むステップＳ２８において、制御装置４は、位相差検出ＡＦが不能と判定してステップＳ２９へ進む。ステップＳ２９において、制御装置４は、不能時のレンズ位置を算出してステップＳ２６へ進む。位相差検出ＡＦが不能時のレンズ位置は、所定の被写体距離（たとえば２ｍ）において合焦するレンズ位置である。
【００３８】
＜コントラスト検出ＡＦ処理＞
図１２のステップＳ３１において、制御装置４は測距装置兼撮像装置３へ指示を送り、ＡＦセンサ出力を取得させてステップＳ３２に進む。ステップＳ３２において、制御装置４は測距装置兼撮像装置３へ指示を送り、位相差検出させてステップＳ３３へ進む。ステップＳ３３において、制御装置４は位相差検出できたか否かを判定する。制御装置４は、測距装置兼撮像装置３からデフォーカス情報を受けた場合にステップＳ３３を肯定判定してステップＳ３４へ進む。制御装置４は、測距装置兼撮像装置３からデフォーカス情報を受けない場合にはステップＳ３３を否定判定し、ステップＳ４４へ進む。
【００３９】
ステップＳ３４において、制御装置４は、合焦位置をサーチする方向を位相差（デフォーカス情報）から決定し、ステップＳ３５へ進む。図８(a)は、撮影レンズ１がイメージセンサ３１の撮像面の後ろ側に鮮鋭像を結ぶ状態、いわゆる後ピン状態を例示する図である。図８(b)は、後ピン状態において得られる画素出力波形を例示する図である。図８(b)において横軸は画素位置を表し、縦軸は画素出力を表す。本実施形態に例示する光学系の場合、後ピン状態においてＡ成分波形がＢ成分波形に対して左側にずれている。
【００４０】
制御装置４は、Ａ成分波形およびＢ成分波形の位相差が図８(b)に例示した方向に検出された場合、フォーカスレンズ２を移動させる方向（サーチ方向）を撮像面から離す方向に決定する。図８(c)は、フォーカスレンズ２の位置と焦点評価値（コントラスト評価値）との関係を示す焦点評価値カーブを例示する図である。この場合、フォーカスレンズ２をサーチ方向へ移動させれば、合焦位置へ近づけることができる。なお、実際のサーチ方向は、撮影レンズ１を構成する光学系によって異なる。
【００４１】
図９(a)は、撮影レンズ１がイメージセンサ３１の撮像面の前側に鮮鋭像を結ぶ状態、いわゆる前ピン状態を例示する図である。図９(b)は、前ピン状態において得られる画素出力波形を例示する図である。図９(b)において横軸は画素位置を表し、縦軸は画素出力を表す。本実施形態に例示する光学系の場合、前ピン状態においてＢ成分波形がＡ成分波形に対して左側にずれている。
【００４２】
制御装置４は、Ａ成分波形およびＢ成分波形の位相差が図９(b)に例示した方向に検出された場合、フォーカスレンズ２を移動させる方向（サーチ方向）を撮像面に近づける方向に決定する。図９(c)は、フォーカスレンズ２の位置と焦点評価値（コントラスト評価値）との関係を示す焦点評価値カーブを例示する図である。この場合、フォーカスレンズ２をサーチ方向へ移動させれば、合焦位置へ近づけることができる。上述したように実際のサーチ方向は、撮影レンズ１を構成する光学系によって異なる。
【００４３】
図１２のステップＳ３５において、制御装置４は、コントラスト評価値の履歴と当該評価値に対応するフォーカスレンズ２位置の履歴（焦点評価値カーブ）を制御装置４内のＲＡＭ（不図示）からクリアしてステップＳ３６へ進む。これにより、前回のＡＦ処理時の焦点評価値カーブデータが消去される。
【００４４】
ステップＳ３６において、制御装置４は、現時点のフォーカスレンズ位置におけるコントラスト評価値を算出し、フォーカスレンズ位置に対応づけてＲＡＭへ保存してステップＳ３７へ進む。ステップＳ３７において、制御装置４はレンズ駆動機構５へ指示を送り、フォーカスレンズ２をステップＳ３４において決定した方向へ駆動開始させてステップＳ３８へ進む。
【００４５】
ステップＳ３８において、制御装置４は、前回のコントラスト評価値取得時点から所定時間が経過したか否かを判定する。制御装置４は、所定時間が経過した場合にステップＳ３８を肯定判定してステップＳ３９へ進み、所定時間が経過していない場合にはステップＳ３８を否定判定して当該判定処理を繰り返す。
【００４６】
ステップＳ３９において、制御装置４は、現時点のフォーカスレンズ位置におけるコントラスト評価値を算出し、フォーカスレンズ位置に対応づけてＲＡＭへ保存してステップＳ４０へ進む。ステップＳ４０において、制御装置４はレンズ駆動が完了したか否かを判定する。制御装置４は、レンズ駆動機構５からレンズ駆動が完了したことを示す信号を受けた場合にステップＳ４０を肯定判定してステップＳ４１へ進む。制御装置４は、レンズ駆動機構５からレンズ駆動が完了したことを示す信号を受けない場合にはステップＳ４０を否定判定し、ステップＳ３８へ戻る。ステップＳ３８へ戻ってフォーカスレンズ２を移動させながらコントラスト評価値の算出を繰り返すことにより、図８(c)または図９(c)に例示する焦点評価値カーブがＲＡＭへ保存される。
【００４７】
ステップＳ４１において、制御装置４は、焦点評価値カーブ（コントラスト評価値の履歴と当該評価値に対応するフォーカスレンズ位置の履歴）から合焦レンズ位置を算出してステップＳ４２へ進む。ステップＳ４２において、制御装置４はレンズ駆動機構５へ指示を送り、フォーカスレンズ２を合焦レンズ位置へ駆動開始させてステップＳ４３へ進む。
【００４８】
ステップＳ４３において、制御装置４はレンズ駆動が完了したか否かを判定する。制御装置４は、レンズ駆動機構５からレンズ駆動が完了したことを示す信号を受けた場合にステップＳ４３を肯定判定し、図１２による処理を終了してＡＦ処理を終了する。制御装置４は、レンズ駆動機構５からレンズ駆動が完了したことを示す信号を受けない場合にはステップＳ４３を否定判定し、当該判定処理を繰り返しながらレンズ駆動の完了を待つ。
【００４９】
ステップＳ３３を否定判定して進むステップＳ４４において、制御装置４は、フォーカスレンズ２を駆動するようにレンズ駆動機構５へ指示を送り、ステップＳ４５へ進む。ステップＳ４５において、制御装置４はレンズ駆動が完了したか否かを判定する。制御装置４は、レンズ駆動機構５からレンズ駆動が完了したことを示す信号を受けた場合にステップＳ４５を肯定判定してステップＳ３５へ進む。制御装置４は、レンズ駆動機構５からレンズ駆動が完了したことを示す信号を受けない場合にはステップＳ４５を否定判定し、当該判定処理を繰り返す。
【００５０】
以上説明した実施形態によれば、次の作用効果が得られる。
（１）電子カメラは、位相差検出ＡＦに用いる瞳分割用の画素列（横センサ１〜横センサ３、縦センサ１〜縦センサ３）を含むイメージセンサ３１を備えたので、瞳分割された一対の像を、撮影画像を取得する撮像面上において取得できる。これにより、位相差検出ＡＦに用いるフォーカスセンサをイメージセンサと別に設ける場合のように、イメージセンサの撮像面とフォーカスセンサの撮像面とが厳密に一致しないことに起因するピントずれの発生を防止することができる。
【００５１】
（２）制御装置４は、所定のオプション部材の装着を検出した場合に位相差検出ＡＦ処理でなく、コントラスト検出ＡＦ処理を行うようにした。オプション非装着時と装着時とで撮影光学系の特性が異なると、位相差検出方式においてデフォーカス量と当該デフォーカス量に対応するレンズ駆動量との関係を示す演算係数をオプション非装着時／装着時に共通に用いることができないため、位相差検出ＡＦ処理で適切にピント調節することが困難になる。しかしながら、オプション装着時にコントラスト検出ＡＦを行えば、適切にピント調節することができる。
【００５２】
（３）上記（２）の構成とすることで、電子カメラより後に開発されたオプション部材と組み合わせる場合でも、適切にＡＦ動作させることができる。
【００５３】
（４）所定のオプション部材を装着している場合に行うコントラスト検出ＡＦでは、位相差検出ＡＦに用いる瞳分割用の画素列から得られるＡ成分波形およびＢ成分波形の位置関係（位相差）に基づいてフォーカスレンズ２のスキャン移動方向（サーチ方向）を決定し、現時点のフォーカスレンズ位置から決定したサーチ方向へフォーカスレンズを移動させるようにした。これにより、至近端から無限遠端の全域の間を移動させる場合に比べてフォーカスレンズ２のスキャン移動範囲を狭くすることができるため、コントラスト検出ＡＦに要する時間を短縮できる。
【００５４】
（変形例１）
所定のオプション部材の装着検出は、上述したマイクロスイッチなどを用いて検出する方式の他に、フォトセンサなどを用いて検出する方式でもよい。また、メニュー操作などによってオプション部材装着を示す設定操作が行われたか否かを判定し、該判定結果に基づいて検出する方式としてもかまわない。
【００５５】
（変形例２）  
位相差検出ＡＦに用いるフォーカスセンサをイメージセンサ３１と別に設ける構成にしてもよい。フォーカスセンサを別個に設ける場合でも、オプション非装着時と装着時とで撮影光学系の特性が異なる場合には、位相差検出時のデフォーカス量と当該デフォーカス量に対応するレンズ駆動量との関係を示す演算係数をオプション非装着時／装着時に共通に用いることができないため、本発明を適用することは有効である。
【００５６】
以上の説明はあくまで一例であり、上記の実施形態の構成に何ら限定されるものではない。
【図面の簡単な説明】
【００５７】
【図１】本発明の一実施の形態による電子カメラの要部構成を説明するブロック図である。
【図２】イメージセンサに形成されるフォーカス検出用の画素位置を説明する図である。
【図３】横センサを構成する画素列の拡大図である。
【図４】縦センサを構成する画素列の拡大図である。
【図５】横センサを構成する画素列、および画素列に入射される光束を説明する図である。
【図６】合焦時に得られる画素出力波形を例示する図である。
【図７】非合焦時に得られる画素出力波形を例示する図である。
【図８】(a)は後ピン状態を例示する図、(b)は後ピン状態において得られる画素出力波形を例示する図、(c)は焦点評価値カーブを例示する図である。
【図９】(a)は前ピン状態を例示する図、(b)は前ピン状態において得られる画素出力波形を例示する図、(c)は焦点評価値カーブを例示する図である。
【図１０】ＡＦ処理の流れを説明するフローチャートである。
【図１１】位相差検出ＡＦ処理を説明するフローチャートである。
【図１２】コントラスト検出ＡＦ処理を説明するフローチャートである。
【符号の説明】
【００５８】
１…撮影レンズ
２…フォーカスレンズ
３…測距装置兼撮像装置
４…制御装置
４ａ…画像処理部
４ｂ…バッファメモリ
５…レンズ駆動機構
６…表示回路
７…液晶モニタ
８…操作部材
１０…コンバージョンレンズ検出装置
１１…光学フィルタ検出装置
１２…水中ケース検出装置
【図１】
2009042555.tif 000003
【図２】
2009042555.tif 000004
【図３】
2009042555.tif 000005
【図４】
2009042555.tif 000006
【図５】
2009042555.tif 000007
【図６】
2009042555.tif 000008
【図７】
2009042555.tif 000009
【図８】
2009042555.tif 000010
【図９】
2009042555.tif 000011
【図１０】
2009042555.tif 000012
【図１１】
2009042555.tif 000013
【図１２】
2009042555.tif 000014